(57)【要約】      （修正有）【課題】遠隔地に住んでいる者でもカラーレッスンを受講することができるカラーレッスンシステム及び化粧品販売システムを提供する。【解決手段】端末を有する主催会社と主催会社の端末と通信網を介して接続される顧客端末及び顧客携帯端末とからなるシステムにおいて、必要事項の記入工程と、主催会社の専門家による診断工程と、専門家の診断した色を作るための化粧品原料を梱包した商品と、専門家のアドバイスに従った化粧品作成工程とからなることを特徴とする化粧品販売システムと、端末を有する主催会社と主催会社の端末と通信網を介して接続される顧客端末及び顧客携帯端末とからなるシステムにおいて、必要事項の入力工程と、主催会社の専用アドレスへの写真送信工程と、必要事項及び写真より診断された色の化粧品を作成するための化粧品原料を梱包した商品発送工程と、商品に添付された診断アドバイスに従った化粧品原料の調合工程とからなる。【選択図】図１
2006215640.tif 000002
【特許請求の範囲】
【請求項１】
端末を有する主催会社と前記主催会社の端末と通信網を介して接続される顧客端末及び顧客携帯端末とからなるシステムにおいて、会員登録をしたミニドレープ購入者へのＩＤを発行工程と、前記顧客端末より主催会社のホームページ内における必要事項の入力及び写真の送信工程と、前記主催会社からのアドバイス送信工程とからなることを特徴とするカラーレッスンシステム。
【請求項２】
携帯電話と前記携帯電話からのメール送信工程と、前記主催会社からのメニュー送信工程と、前記メニューにおける必要事項入力工程と、前記主催会社からの専用アドレス表示工程と、前記専用アドレスへの写真送信工程と、前記主催会社からのアドバイス送信工程とからなることを特徴とする請求項１に記載のカラーレッスンシステム。
【請求項３】
必要事項の記入工程と、前記主催会社の専門家による診断工程と、前記専門家の診断した色を作るための化粧品原料を梱包した商品と、前記専門家のアドバイスに従った化粧品作成工程とからなることを特徴とする化粧品販売システム。
【請求項４】
端末を有する主催会社と前記主催会社の端末と通信網を介して接続される顧客端末及び顧客携帯端末とからなるシステムにおいて、必要事項の入力工程と、前記主催会社の専用アドレスへの写真送信工程と、前記必要事項及び写真より診断された色の化粧品を作成するための化粧品原料を梱包した商品発送工程と、前記商品に添付された診断アドバイスに従った化粧品原料の調合工程とからなることを特徴とする請求項３に記載の化粧品販売システム。
【発明の詳細な説明】
【技術分野】
【０００１】
本発明は、カラーレッスンシステム及び化粧品販売システムに関する発明である。
【背景技術】
【０００２】
従来のカラーレッスンシステムはスクールなどに足を運びレッスンを受講する者であった。また、化粧品販売システムは利用客が店舗や通信販売で既成の化粧品を購入する販売システムであった。
【０００３】
しかしながら、従来のカラーレッスンシステムではレッスンを開校しているスクールが都市部に集中していたため、都市から離れた地域に居住する者はわざわざ遠くまで通わなければならず、受講料に加えて交通費がかかり、また時間も費やさなければならなかった。
【０００４】
また、化粧品販売システムでは、利用客が店舗へ直接赴いて商品を購入するが、既製品の中から選ばなければならず、必ずしも自分に合う色を選べるわけではなく、在庫切れなどの場合は入荷を待つか他の店舗で購入しなければならなかった。
【０００５】
更に、通信販売で購入する場合は、予想していた色と実物の色が違っていたりすることがあり、更に実際使ってみると自分の肌には合わない色を買ってしまうことがあり、購入の際に不安があった。
【発明の開示】
【発明が解決しようとする課題】
【０００６】
そこで本発明は、遠隔地に居住しているものであっても簡単にカラーレッスンを受講することができ、また、専門家が判断に従って利用客が送られてくる材料より化粧品を作ることで、自分に最も似合う色の化粧品を使用することができるカラーレッスンシステム及び化粧品販売システムを提供することを目的とするものである。
【課題を解決するための手段】
【０００７】
本発明は、上記の課題を解決するために、端末を有する主催会社と前記主催会社の端末と通信網を介して接続される顧客端末及び顧客携帯端末とからなるシステムにおいて、会員登録をしたミニドレープ購入者へのＩＤを発行工程と、前記顧客端末より主催会社のホームページ内における必要事項の入力及び写真の送信工程と、前記主催会社からのアドバイス送信工程とからなることを特徴とするカラーレッスンシステムと、携帯電話と前記携帯電話からのメール送信工程と、前記主催会社からのメニュー送信工程と、前記メニューにおける必要事項入力工程と、前記主催会社からの専用アドレス表示工程と、前記専用アドレスへの写真送信工程と、前記主催会社からのアドバイス送信工程とからなることを特徴とするカラーレッスンシステムと、必要事項の記入工程と、前記主催会社の専門家による診断工程と、前記専門家の診断した色を作るための化粧品原料を梱包した商品と、前記専門家のアドバイスに従った化粧品作成工程とからなることを特徴とする化粧品販売システと、端末を有する主催会社と前記主催会社の端末と通信網を介して接続される顧客端末及び顧客携帯端末とからなるシステムにおいて、必要事項の入力工程と、前記主催会社の専用アドレスへの写真送信工程と、前記必要事項及び写真より診断された色の化粧品を作成するための化粧品原料を梱包した商品発送工程と、前記商品に添付された診断アドバイスに従った化粧品原料の調合工程とからなることを特徴とする化粧品販売システムの構成とした。
【発明の効果】
【０００８】
本発明のカラーレッスンシステム及び化粧品販売システムでは、遠隔地に住んでいる者であっても簡単にカラーレッスンを受講することができ、また、専門家の判断に従って化粧品を作ることで、自宅に居ながら自分の肌に最も似合う色の化粧品を得ることができる。
【発明を実施するための最良の形態】
【０００９】
どこに済んでいても簡単にカラーレッスンを受けることができ、また、自分に最も似合う色の化粧品を得るという目的を通信網と化粧品の原料セットと専門家のアドバイスによって実現した。
【実施例１】
【００１０】
図１は本発明であるカラーレッスンシステム及び化粧品販売システムの全体図である。図１に示すように本発明であるカラーレッスンシステム及び化粧品販売システム１は、主催会社２と顧客端末４と前記主催会社２の端末２ａと顧客端末４ａを結ぶ通信網３とからなる。前記顧客端末４の代わりに顧客携帯端末４ａを利用することも可能であり、また、その両者を同時に使用することも可能である。
【００１１】
図２は本発明であるカラーレッスンシステムのフローチャートである。図２では、図１で示したシステムを利用して、購入者５、６と主催会社７との間で行われるカラーレッスンシステムをパソコンを使用して行う流れと携帯電話を使用して行う流れを示している。
【００１２】
まず、パソコンを使用してカラーレッスンを行う場合を説明することとする。主催会社７の販売するミニドレープ購入５ａを行った購入者５は、主催会社７に対して会員登録５ｂを行う。主催会社７は会員登録をした購入者５に対してＩＤ発行７ａを行う。
【００１３】
ＩＤを取得した購入者５は、パソコンのインターネット通信網を使用して主催会社のホームページにアクセスし、ホームページ内よりメニュー選択５ｃをする。即ち、カラーレッスンを選択する。
【００１４】
次に購入者５はホームページ上で必要事項の入力及び写真の送信５ｄを行い、決済方法選択５ｅへ移る。決済方法選択５ｅでは、カラーレッスンの受講料の支払い方法を決め、購入者の決済方法を確認した主催会社７は購入者５に対して決済方法確認メール７ｄを送信し、更にカラーレッスンのアドバイス送信７ｅをする。
【００１５】
アドバイスを受け取った購入者５は、アドバイスについて疑問があった場合主催会社７に疑問点送信５ｆを行い、主催会社７はこれに対して回答送信７ｆを行い、終了５ｇとなる。次に携帯電話を使用してカラーレッスンを行う場合を説明することとする。主催会社７の販売するミニドレープ購入６ａを行った購入者６は、主催会社７に対して会員登録６ｂを行う。主催会社７は会員登録をした購入者６に対してＩＤ発行７ａを行う。
【００１６】
ＩＤを取得した購入者６は、携帯電話を使用して主催会社７に対してメール送信６ｃを行い、これに対して主催会社７は購入者６にメニュー送信７ｂを行う。購入者６は送られてきたメニューの中からカラーレッスン選択６ｅを行い、更にどういった類のカラーレッスンを受講するかメニュー選択６ｅを行う。
【００１７】
次に購入者６は必要事項の入力６ｆを行い、この必要事項の入力６ｆをすると携帯電話画面上に専用アドレス表示７ｃがなされ、購入者６はこの専用アドレスに写真送信６ｇを行う。写真送信の後、購入者６はカラーレッスンの受講料の決済方法選択６ｇを行い、決済方法を確認した主催者７は、決済方法確認メール７ｄを購入者６に送信する。
【００１８】
購入者６の入力事項や写真から主催会社７はアドバイスを作成し、購入者６にアドバイス送信７ｅをし、このアドバイスに疑問等がある場合は、購入者６は主催会社７に疑問点送信６ｉを行い、回答返信７ｆ受け終了６ｊする。
【００１９】
図３は本発明である化粧品販売システムのフローチャートである。図３では、図１で示したシステムを利用して、購入者８、９と主催会社７との間で行われる化粧品販売システムの来店による購入の場合と、パソコン又は携帯電話を使用して行う場合の流れを示している。
【００２０】
まず、来店により化粧品を購入する場合の流れを説明する。主催会社７のサービスの提供７ｇを知った購入者８は、店頭で必要事項の記入８ａをし、専門家による診断７ｊを経て、商品購入８ｂと共に代金支払い８ｃを行う。
【００２１】
この商品には、専門家が診断した色の化粧品を作るための原料が梱包されており、商品を購入した購入者８は、化粧品の材料を専門家のアドバイスに従って調合８ｄし、自分の肌に最も良く合う化粧品を作ることができる。以上の工程を経て終了７ｌする。
【００２２】
以上の来店により手にする自分の肌に最も良く合う化粧品の購入は、携帯電話またはパソコンでも購入することができ、次に携帯電話で購入する場合の中でも特にファンデーションを購入する場合の流れを説明する。
【００２３】
まず、購入者９は携帯電話で主催会社７のホームページへアクセスし、ホームページ内よりファンデーション購入選択９ａをする。ファンデーション購入選択をすると必要事項の入力９ｄ画面となり、購入者９は必要事項を入力し、主催会社７からの専用アドレス表示７ｈを待つ。
【００２４】
専用アドレスが表示されたら、購入者９はそのアドレスに対して要求された写真を送信する。専用アドレスに写真送信９ｅ後、決済方法選択９ｂ画面になり、購入者９は決済の方法を選択する。
【００２５】
決済方法の選択後、主催会社７より購入者９に決済方法確認メールが届き、決済方法を確認した主催会社７は購入者９から得た情報を基に診断を行い、色を決定して、その色のファンデーションを作るための材料を梱包した商品発送７ｋを行う。
【００２６】
商品を受け取った購入者９は商品に同封されている診断結果とアドバイスに従ってファンデーションを作成する原料を調合し、自分の肌に最も良く合う色のファンデーションを手にすることができる。
【００２７】
次に以上の方法をパソコンを使用して購入する場合の流れを説明する。購入者９はパソコンで購入する場合、まず、主催会社７のホームページにアクセスし、ファンデーションを購入するページを開く。
【００２８】
ファンデーション購入のページで必要事項の入力要請と写真の送信の要請がされるので、購入者９は必要事項の入力及び写真の送信９ｆを行う。必要事項の入力及び写真の送信９ｆを終えると画面が決済方法の選択画面に変わり、購入者９は決済方法選択９ｂをする。
【００２９】
決済方法を確認した主催会社７は購入者９に対して決済方法確認メールを送信し、購入者９から得た情報を基に診断を行い、色を決定して、その色のファンデーションを作るための材料を梱包した商品発送７ｋを行う。
【００３０】
商品を受け取った購入者９は商品に同封されている診断結果とアドバイスに従ってファンデーションを作成する原料を調合し、自分の肌に最も良く合う色のファンデーションを手にすることができる。
【００３１】
以上の工程では、特にファンデーションを購入するための流れを説明したが、ファンデーション以外の化粧品を購入する場合もそれぞれ診断を行い、より自分の肌に合う化粧品を作るための材料を購入し、各人がアドバイスに従って調合する方法は同じである。
【００３２】
図４は本発明であるカラーレッスンシステム及び化粧品販売システムの中で利用客が診断用の写真を撮っている状態を示した図である。図４に示した図は、図２のフローチャートにおいて必要事項の入力及び写真の送信５ｄで使用する写真を用意している図である。
【００３３】
購入者５は、購入したミニドレープセット１０の中から数枚ミニドレープ１０ａを選んで胸元に並べデジタルカメラ１０ｂ等でデジタル写真を撮り、主催会社へ送信する。写真を撮る際に使用するカメラは、携帯電話などに装備されているカメラでも良く、携帯電話のカメラを使用した場合は、そのまま専用アドレスに送信できるため便利である。
【００３４】
図５は本発明であるカラーレッスンシステム及び化粧品販売システムの中で診断用の写真を通信網を介して送信している状態を示した図である。図５に示すように、主催会社７より要求されているポーズの送信用画像１０ｃは、インターネット等の通信網３を介して主催会社２の端末２ａへ送信される。
【００３５】
図６は本発明であるカラーレッスンシステム及び化粧品販売システムで使用するファンデーションセットを示した図である。ファンデーション購入を希望した購入者には図６に示すようなファンデーションセット１１が送られてくる。このセット内には購入者８、９の希望や写真から判断した購入者の肌に最も良く合う色のファンデーションを作るための数種のファンデーション原料１１ｂと容器１１ａが入っている。
【００３６】
ファンデーションセット１１に同封されているアドバイスを参照して、前記ファンデーション原料１１ｂを調合容器１１ｃで調合することで、自分の肌に最も良く合うファンデーションを作ることが出来る。符号１１ｄは調合中のファンデーションを示している。
【００３７】
図７は本発明であるカラーレッスンシステム及び化粧品販売システムで使用する主催会社のホームページ構成図であ。図８から図１２は本発明である化粧品販売システムで使用する主催会社のホームページの各ページを示した図である。
【００３８】
図７に示すように、本発明であるカラーレッスンシステム及び化粧品販売システムで使用する主催会社のホームページでは、ＴＯＰ画面１２より各ページへ移動することができ、サービス内容画面１３、ミニドレープのご案内画面１４、携帯カメラ画面１６、会員登録画面１７、お申込み画面１８、よくあるご質問画面２５、個人情報と特定商取引について画面２６、無料のアドバイス画面２７、パーソナルカラー分析画面２８、メイク画面２９、洋服のコーディネート術画面３０へ移動することが出来るが、これ以外にも提供サービスの増減により変更可能である。
【００３９】
前記ミニドレープのご案内画面１４からはミニドレープのお申込み画面１５へ移動することができ、前記お申込み画面１８からは無料のアドバイス１お申込み画面１９、無料のアドバイス２お申込み画面２０、パーソナルカラー分析お申込み画面２１、メイクのお申込み画面２２、洋服のコーディネート術お申込み画面２３、ご注文（ファンデーション）画面３１へ移動することができる。これらの画面も提供サービスの変更により増減することができる。
【００４０】
また、前記無料のアドバイス１お申込み画面１９、無料のアドバイス２お申込み画面２０、パーソナルカラー分析お申込み画面２１、メイクのお申込み画面２２、洋服のコーディネート術お申込み画面２３、ご注文（ファンデーション）画面３１からは、写真の撮り方画面２４へ移動することができる。
【００４１】
前記全ての画面のうち、注文の申込みや会員登録など、情報の入力を要するページからは、情報入力確定後に、ご入力確認画面３２へ変わるようにプログラムされている。また、前記ご入力確認画面３２より入力情報の確認決定後にＴｈａｎｋｓページ３３へ変わるようにプログラムされている。
【００４２】
図８の左上に示した図は、前記ＴＯＰ画面１２である。このＴＯＰ画面１２には、以下主催会社７が提供する情報や、サービスへリンクするためのボタンが記載される。右上に示した図は前記サービス内容画面１３である。サービス内容画面１３はタイトル１３ａと説明文１３ｂとからなり、ホームページ内で受けることのできる各サービスを紹介している。
【００４３】
左下に示した図は前記ミニドレープのご案内画面１４である。ミニドレープのご案内画面１４は、タイトル１４ａとミニドレープの説明文１４ｂとミニドレープの写真１４ｃからなり、写真１４ｃや説明文１４ｂを閲覧して購入を希望する人のために購入ボタン１４ｄを用意しており、この購入ボタン１４ｄから右下に示した図であるミニドレープのお申込み画面１５へ移動することができる。
【００４４】
前記ミニドレープのお申込み画面１５は、タイトル１５ａと情報入力欄１５ｂと要望等を記入することができる記入欄１５ｃとからなり、情報入力欄１５ｂに入力後、お申込みボタン１５ｄで購入することができ、クリアボタン１５ｅで入力情報を消し、申込みを取り消すことができる。
【００４５】
図９の左上に示した図は、前記携帯カメラ画面１６である。この画面はタイトル１６ａと写真及び説明１６ｂと利用方法１６ｃとからなり、カメラ付き携帯からレッスンを受講する場合の説明をした画面である。
【００４６】
図９の右上に示した図は、前記会員登録画面１７である。この画面はタイトル１７ａと情報入力欄１７ｂと会員約款１７ｃとからなり、会員登録するための画面である。図８の左下に示した図は、前記お申込み画面１８である。この画面はタイトル１８ａと説明１８ｂと他のページへ移動するための複数のボタンとからなる。
【００４７】
前記複数のボタンには、無料アドバイス１へのリンクボタン１８ｃ、無料アドバイス２へのリンクボタン１８ｄ、パーソナルカラー分析へのリンクボタン１８ｅ、メイクへのリンクボタン１８ｆ、洋服のコーディネート術へのリンクボタン１８ｇがある。これらのボタンはページの増減などにより変更すことができる。
【００４８】
図９の右下に示した図は、前記無料のアドバイス１お申込み画面１９である。この画面はタイトル１９ａと情報入力欄１９ｂとカラー見本１９ｃと写真指定欄１９ｄとからなり、無料アドバイスを申し込むための画面である。必要事項を入力し、色を選択し、写真を指定した後、お申込みボタン２０ｄで無料アドバイスを申し込むことができ、クリアボタン１９ｆで申込みを取り消すことができる。
【００４９】
図１０の左上に示した図は、前記無料のアドバイス２お申込画面２０である。この画面はタイトル２０ａと情報入力欄２０ｂと希望入力欄２０ｃとからなり、必要事項を入力し、お申込みボタン２０ｄで無料アドバイスを申し込むことができ、クリアボタン２０ｅで申込みを取り消すことができる。
【００５０】
図１０の右上に示した図は、前記パーソナルカラー分析お申込み画面２１である。この画面はタイトル２１ａと情報入力欄２１ｂと写真入力欄２１ｃと情報入力欄２１ｄとからなり、必要事項を入力し、写真を入力した後、お申込みボタン２１ｅでパーソナルカラー分析を申し込むことができ、クリア２１ｆでパーソナルカラー分析の申込みを取り消すことができる。
【００５１】
図１０の左下に示した図は、前記メイクのお申込み画面２２である。この画面はタイトル２２ａと情報入力欄２２ｂと写真入力欄２２ｃご相談入力欄２２ｄとからなり、必要事項を入力し、写真を入力し、相談内容を入力した後、お申込みボタン２２ｅで申込むことができ、クリア２２ｆで申込みを取り消すことができる。
【００５２】
図１０の右下に示した図は、前記洋服のコーディネート術お申込み画面２３である。この画面はタイトル２３ａと情報入力欄２３ｂと写真入力欄２３ｃとご相談入力欄２３ｄとからなり、必要事項を入力し、写真を入力し、相談内容を入力した後、お申込みボタン２３ｅで申込むことができ、クリア２３ｆで申込みを取り消すことができる。
【００５３】
図１１の左上に示した図は、前記写真の撮り方画面２４である。この画面はタイトル２４ａと説明２４ｂと写真付き説明２４ｃとからなる。このページは各申込み画面で必要な写真の撮り方を説明したページである。
【００５４】
図１１の右上に示した図は、前記よくあるご質問画面２５である。この画面はタイトル２５ａと説明２５ｂからなり、質問されやすい内容を示したページである。図１０の左下に示した図は、前記個人情報と特定商取引について画面２６である。この画面はタイトル２６ａと説明２６ｂとからなり、個人情報の取り扱いや特定商取引について説明しているページである。
【００５５】
図１１の右下に示した図は、前記無料のアドバイス画面２７である。この画面はタイトル２７ａとレッスン内容説明２７ｂとレッスンの流れ説明２７ｃとからなり、無料で受けることのできるレッスンについて説明したページである。
【００５６】
図１２の左上に示した図は、前記パーソナルカラー分析画面である。この画面はタイトル２８ａと分析内容説明２８ｂと分析流れ説明２８ｃとからなり、パーソナルカラー分析を依頼した場合に受けることのできるアドバイス種類や分析までの流れを説明したページである。
【００５７】
図１２の右上に示した図は、前記メイク画面である。この画面はタイトル２９ａとアドバイスの流れ説明２９ｂとからなり、メイクについてのアドバイスを依頼した場合のアドバイス種類や流れを説明したページである。
【００５８】
図１２の左下に示した図は、前記洋服のコーディネート術画面３０である。この画面はタイトル３０ａとアドバイス内容説明３０ｂとアドバイスの流れ説明３０ｃとからなり、洋服のコーディネート術のアドバイスを依頼した場合の、アドバイス内容やアドバイスの流れを示したページである。
【００５９】
図１２の右下に示した図は、前記ご注文（ファンデーション）画面である。この画面はタイトル３１ａと情報入力欄３１ｂとカラー見本３１ｃとからなり、必要事項を入力し、カラーを選択した後、お申込みボタン３１ｄで申し込むことができ、クリアボタン３１ｅで申込みを取り消すことができる。
【００６０】
以上のように、本発明であるカラーレッスンシステム及び化粧品販売システム１で使用するホームページの各ページのデザインや記載内容は、以上に限定されるものではなく、サービスの変更に伴ってページを増減したり、各ページ内の記載内容を変更することができる。
【図面の簡単な説明】
【００６１】
【図１】本発明であるカラーレッスンシステム及び化粧品販売システムの全体図である。
【図２】本発明であるカラーレッスンシステムのフローチャートである。
【図３】本発明である化粧品販売システムのフローチャートである。
【図４】本発明であるカラーレッスンシステム及び化粧品販売システムの中で利用客が診断用の写真を撮っている状態を示した図である。
【図５】本発明であるカラーレッスンシステム及び化粧品販売システムの中で診断用の写真を通信網を介して送信している状態を示した図である。
【図６】本発明であるカラーレッスンシステム及び化粧品販売システムで使用するファンデーションセットを示した図である。
【図７】本発明であるカラーレッスンシステム及び化粧品販売システムで使用する主催会社のホームページ構成図であ。
【図８】本発明であるカラーレッスンシステム及び化粧品販売システムで使用する主催会社のホームページの各ページを示した図である。
【図９】本発明であるカラーレッスンシステム及び化粧品販売システムで使用する主催会社のホームページの各ページを示した図である。
【図１０】本発明であるカラーレッスンシステム及び化粧品販売システムで使用する主催会社のホームページの各ページを示した図である。
【図１１】本発明であるカラーレッスンシステム及び化粧品販売システムで使用する主催会社のホームページの各ページを示した図である。
【図１２】本発明であるカラーレッスンシステム及び化粧品販売システムで使用する主催会社のホームページの各ページを示した図である。
【符号の説明】
【００６２】
１      カラーレッスンシステム及び化粧品販売システム
２      主催会社
２ａ    端末
３      通信網
４      顧客端末
４ａ    顧客携帯端末
５      購入者
５ａ    ミニドレープ購入
５ｂ    会員登録
５ｃ    ホームページ内よりメニュー選択
５ｄ    必要事項の入力及び写真の送信
５ｅ    決済方法選択
５ｆ    疑問点送信
５ｇ    終了
６      購入者
６ａ    ミニドレープ購入
６ｂ    会員登録
６ｃ    メール送信
６ｄ    カラーレッスン選択
６ｅ    メニュー選択
６ｆ    必要事項の入力
６ｇ    専用アドレスに写真送信
６ｈ    決済方法選択
６ｉ    疑問点送信
６ｊ    終了
７      主催会社
７ａ    ＩＤ発行
７ｂ    メニュー送信
７ｃ    専用アドレス表示
７ｄ    決済方法確認メール
７ｅ    アドバイス送信
７ｆ    回答送信
７ｇ    サービスの提供
７ｈ    専用アドレス表示
７ｉ    決済方法確認メール
７ｊ    専門家による診断
７ｋ    商品発送
７ｌ    終了
８      購入者
８ａ    必要事項の記入
８ｂ    商品購入
８ｃ    代金支払い
８ｄ    アドバイスに従って調合
９      購入者
９ａ    ホームページ内よりファンデーション購入選択
９ｂ    決済方法選択
９ｃ    アドバイスに従って調合
９ｄ    必要事項の入力
９ｅ    専用アドレスに写真送信
９ｆ    必要事項の入力及び写真の送信
１０      ミニドレープセット
１０ａ    ミニドレープ
１０ｂ    カメラ
１１      ファンデーションセット
１１ａ    容器
１１ｂ    ファンデーション原料
１１ｃ    調合容器
１１ｄ    調合中のファンデーション
１２      ＴＯＰ画面
１３      サービス内容画面
１３ａ    タイトル
１３ｂ    説明文
１４      ミニドレープのご案内画面
１４ａ    タイトル
１４ｂ    説明文
１４ｃ    写真
１４ｄ    購入ボタン
１５      ミニドレープのお申込み画面
１５ａ    タイトル
１５ｂ    情報入力欄
１５ｃ    記入欄
１５ｄ    お申込みボタン
１５ｅ    クリアボタン
１６      携帯カメラ画面
１６ａ    タイトル
１６ｂ    写真及び説明
１６ｃ    利用方法
１７      会員登録画面
１７ａ    タイトル
１７ｂ    情報入力欄
１７ｃ    会員約款
１８      お申込み画面
１８ａ    タイトル
１８ｂ    説明
１８ｃ    無料アドバイス１へのリンクボタン
１８ｄ    無料アドバイス２へのリンクボタン
１８ｅ    パーソナルカラー分析へのリンクボタン
１８ｆ    メイクへのリンクボタン
１８ｇ    洋服のコーディネート術へのリンクボタン
１９      無料のアドバイス１お申込み画面
１９ａ    タイトル
１９ｂ    情報入力欄
１９ｃ    カラー見本
１９ｄ    写真指定欄
１９ｅ    お申込みボタン
１９ｆ    クリアボタン
２０      無料のアドバイス２お申込み画面
２０ａ    タイトル
２０ｂ    情報入力欄
２０ｃ    希望入力欄
２０ｄ    お申込みボタン
２０ｅ    クリアボタン
２１      パーソナルカラー分析お申込み画面
２１ａ    タイトル
２１ｂ    情報入力欄
２１ｃ    写真入力欄
２１ｄ    情報入力欄
２１ｅ    お申込みボタン
２１ｆ    クリアボタン
２２      メイクのお申込み画面
２２ａ    タイトル
２２ｂ    情報入力欄
２２ｃ    写真入力欄
２２ｄ    ご相談入力欄
２２ｅ    お申込みボタン
２２ｆ    クリアボタン
２３      洋服のコーディネート術お申込み画面
２３ａ    タイトル
２３ｂ    情報入力欄
２３ｃ    写真入力欄
２３ｄ    ご相談入力欄
２３ｅ    お申込みボタン
２３ｆ    クリアボタン
２４      写真の撮り方画面
２４ａ    タイトル
２４ｂ    説明
２４ｃ    写真付き説明
２５      よくあるご質問画面
２５ａ    タイトル
２５ｂ    質問と回答
２６      個人情報と特定商取引について画面
２６ａ    タイトル
２６ｂ    説明
２７      無料のアドバイス画面
２７ａ    タイトル
２７ｂ    レッスン内容説明
２７ｃ    レッスンの流れ説明
２８      パーソナルカラー分析画面
２８ａ    タイトル
２８ｂ    分析内容説明
２８ｃ    分析の流れ説明
２９      メイク画面
２９ａ    タイトル
２９ｂ    アドバイスの流れ説明
３０      洋服のコーディネート術画面
３０ａ    タイトル
３０ｂ    アドバイス内容説明
３０ｃ    アドバイスの流れ説明
３１      ご注文（ファンデーション）画面
３１ａ    タイトル
３１ｂ    情報入力欄
３１ｃ    カラー見本
３１ｄ    お申込みボタン
３１ｅ    クリアボタン
【図１】
2006215640.tif 000003
【図２】
2006215640.tif 000004
【図３】
2006215640.tif 000005
【図４】
2006215640.tif 000006
【図５】
2006215640.tif 000007
【図６】
2006215640.tif 000008
【図７】
2006215640.tif 000009
【図８】
2006215640.tif 000010
【図９】
2006215640.tif 000011
【図１０】
2006215640.tif 000012
【図１１】
2006215640.tif 000013
【図１２】
2006215640.tif 000014